(57)【要約】【課題】集塵ケースに集塵された塵埃の排出が容易で、かつ集塵ケースに設けられたフィルターのメンテナンスの手間を低減できる。【解決手段】電動送風機２Ａを内蔵する掃除機本体２と、掃除機本体２に着脱自在に設けられ、内部に塵埃を捕集するための塵埃収容器１３を備えた集塵ケース１０と、を有する電気掃除機１であって、集塵ケース１０の開口部１１ｄに開閉自在に配置され、塵埃収容器１３の塵埃の吸い込み方向上流側に介在させた使い捨て式の集塵濾紙を、集塵ケース１０との間で挟持可能に設けた蓋部材１２を備え、蓋部材１２を開いた状態で、電動送風機２Ａを駆動させたときの吸引力により、集塵濾紙を塵埃収容器１３に密着させるように構成した。【選択図】図１０
2012000115.tif 000002
【特許請求の範囲】
【請求項１】
電動送風機を内蔵する掃除機本体と、前記掃除機本体に着脱自在に設けられ、内部に塵埃を捕集するための塵埃収容器を備えた集塵ケースと、を有する電気掃除機であって、
前記集塵ケースの開口部に開閉自在に配置され、前記塵埃収容器の塵埃の吸い込み方向上流側に介在させた使い捨て式の集塵濾紙を、前記集塵ケースとの間で挟持可能に設けた蓋部材を備え、
前記蓋部材を開いた状態で、前記電動送風機を駆動させたときの吸引力により、前記集塵濾紙を前記塵埃収容器に密着させるようにしたことを特徴とする電気掃除機。
【請求項２】
前記塵埃収容器は、塵埃の吸い込み方向下流側となる底部が、前記下流側に向けて円弧状に凹設されていることを特徴とする請求項１に記載の電気掃除機。
【請求項３】
前記集塵ケースには、前記集塵濾紙を抑えるための抑え部材が設けられていることを特徴とする請求項１または請求項２に記載の電気掃除機。
【請求項４】
電動送風機を内蔵する掃除機本体と、前記掃除機本体に設けられた集塵ケース室と、前記集塵ケース室に着脱自在に設けられ、内部に塵埃を捕集するための塵埃収容器を備えた集塵ケースと、を有する電気掃除機であって、
前記集塵ケース室には、含塵空気を取り込む本体吸気口と前記集塵ケースを出し入れするための出入口とが設けられているとともに、
前記掃除機本体には、前記出入口を通じて前記集塵ケース室から前記集塵ケースが取り出された状態で、前記本体吸気口を塞ぐ閉塞手段が設けられており、
前記集塵ケースは、
塵埃の吸い込み方向下流側となる部位にパッキンを有し、
前記集塵ケース室から取り出された状態で、前記出入口の開口縁に前記パッキンを当接させて当該出入口に設置可能であり、
前記出入口に前記塵埃ケースを設置して前記蓋部材を開いた状態で、前記電動送風機を駆動させたときの吸引力により、前記集塵濾紙を前記塵埃収容器に密着させるようにしたことを特徴とする電気掃除機。
【請求項５】
前記掃除機本体は、前記電動送風機と前記集塵ケース室とを区画する区画壁を備え、
前記区画壁と前記パッキンとの気密面は、
前記出入口の開口縁と前記パッキンとの気密面と略同一形状とされていることを特徴とする請求項４に記載の電気掃除機。
【請求項６】
電動送風機と、本体吸気口と前記電動送風機への連通口とが形成された集塵ケース室と、前記集塵ケース室の出入口から前記集塵ケース室内に着脱自在に設けられる集塵ケースと、前記集塵ケース室の前記出入口を開閉自在に塞ぐ蓋体とを備えた電気掃除機であって、
前記集塵ケースは、前記集塵ケース室内に装着された際に前記本体吸気口に連通する吸込口と、前記集塵ケース室内に装着された際に前記電動送風機への連通口に連通する開口と、前記吸込口と前記開口との間に設けられ前記開口側に凹んだ形状を有する通気部材とを備え、
前記出入口の開口縁は、前記集塵ケースの前記開口の開口縁に対応した形状を有することを特徴とする電気掃除機。
【発明の詳細な説明】
【技術分野】
【０００１】
本発明は、電気掃除機に関し、特に、塵埃の排出が容易で、しかも、集塵ケースに設けられたフィルターのメンテナンスの手間を低減することができる電気掃除機に関するものである。
【背景技術】
【０００２】
従来、集塵ケースに集塵された塵埃の排出が容易にでき、フィルターのメンテナンスの手間を低減できる集塵ケースを有する電気掃除機としては、例えば、特許文献１に記載されたものが知られている。
特許文献１に記載された電気掃除機は、外ケースと内ケースとフィルター装置とからなる集塵容器を備え、フィルター装置は、外ケースに対向する主面と、主面の端から主面の交差方向に立ち上がる側面とを有しており、主面および側面によって、塵埃を溜める貯留部が形成されている。
【０００３】
このような貯留部は、主面および側面によって、底を有する皿状に形成されるため、貯留部に溜めた塵埃を捨てるためにフィルター装置を外ケースから取り外すときは、この貯留部を水平にしなくても、貯留部に溜められた塵埃を、不意にこぼすことなく、円滑に捨てることができる。
また、外ケースとフィルター装置との間には使い捨てフィルターであるティッシュペーパーを装着可能であり、外ケースにフィルター装置が取り付けられたとき、貯留部の形状に沿うように、ティッシュペーパーをフィルター装置に押し付けるリブを備えているので、ティッシュペーパーの装着とフィルター装置の取り付けを一緒に行うことができる。
【０００４】
また、集塵ケースに集塵された塵埃の排出を容易にできる電気掃除機として、特許文献２に記載されたものが知られている。
特許文献２に記載された電気掃除機は、前記塵埃収容器が前記集塵ケースの開口部から突出可能に設けてられており、集塵ケース内の塵埃収容器の上流側に、使い捨ての集塵濾紙を配置している。
このような電気掃除機を運転して清掃を行うと、塵埃収容器内に吸引された塵埃は、塵埃収容器の上流側に配置された使い捨ての集塵濾紙に捕集される。そして、集塵濾紙上に堆積した塵埃は、空気流に圧縮されて固まり状となる。これにより、塵埃を容易に排出することができる。
【先行技術文献】
【特許文献】
【０００５】
【特許文献１】特開２００７−２４４８４４号公報
【特許文献２】特開２００８−１９４０８５号公報
【発明の概要】
【発明が解決しようとする課題】
【０００６】
特許文献１の電気掃除機では、運転中は空気流によって塵埃が圧縮されるが、運転されていないときには使い捨ての集塵濾紙に塵埃が包まれず、広がる状態となる。このため、塵埃が多量に集塵された場合には、集塵ケースの内壁に塵埃が引っ掛かる状態となり、排出時には塵埃を掻き出す必要が生じる。したがって、特許文献１の電気掃除機では、掻き出し時に細塵が舞い上がるなどして衛生上望ましくない。
また、ティッシュペーパーをフィルター装置に押し付けるためのリブに、塵埃が付着し易く、塵埃を排出するためにフィルター装置を取り外した場合に、このリブが外ケースから飛び出す状態となるため、衛生的ではない。
また、貯留部にリブが入り込む構造であるため、集塵できる容積が減って頻繁に塵埃を捨てる必要がある。このため、手間がかかっていた。
【０００７】
その点、特許文献２の電気掃除機では、塵埃を容易に排出でき、また、塵埃収容器内にはリブがないため、塵埃がリブに引っ掛かることや塵埃が付着することもない。しかしながら、使い捨ての集塵濾紙を配置するときには、塵埃収容器の内面に沿うように装着しないと、含塵空気流により、破れる虞がある。このような破れが生じると、集塵濾紙が破れていない場合に比べて、下流側に設けられたフィルターの目詰まりを早めてしまう虞もあった。
【０００８】
本発明は、前記従来の問題を解決するものであり、集塵ケースに集塵された塵埃の排出が容易で、かつ集塵ケースに設けられたフィルターのメンテナンスの手間を低減できる電気掃除機を提供することを目的とする。
【課題を解決するための手段】
【０００９】
本発明は、電動送風機を内蔵する掃除機本体と、前記掃除機本体に着脱自在に設けられ、内部に塵埃を捕集するための塵埃収容器を備えた集塵ケースと、を有する電気掃除機であって、前記集塵ケースの開口部に開閉自在に配置され、前記塵埃収容器の塵埃の吸い込み方向上流側に介在させた使い捨て式の集塵濾紙を、前記集塵ケースとの間で挟持可能に設けた蓋部材を備え、前記蓋部材を開いた状態で、前記電動送風機を駆動させたときの吸引力により、前記集塵濾紙を前記塵埃収容器に密着させるようにしたことを特徴とする。
この電気掃除機によれば、電動送風機の駆動による吸引力を利用して集塵濾紙を塵埃収容器内に吸引し、これを塵埃収容器内に密着させることができる。
【００１０】
また、電動送風機を内蔵する掃除機本体と、前記掃除機本体に設けられた集塵ケース室と、前記集塵ケース室に着脱自在に設けられ、内部に塵埃を捕集するための塵埃収容器を備えた集塵ケースと、を有する電気掃除機であって、前記集塵ケース室には、含塵空気を取り込む本体吸気口と前記集塵ケースを出し入れするための出入口とが設けられているとともに、前記掃除機本体には、前記出入口を通じて前記集塵ケース室から前記集塵ケースが取り出された状態で、前記本体吸気口を塞ぐ閉塞手段が設けられており、前記集塵ケースは、塵埃の吸い込み方向下流側となる部位にパッキンを有し、前記集塵ケース室から取り出された状態で、前記出入口の開口縁に前記パッキンを当接させて当該出入口に設置可能であり、前記出入口に前記塵埃ケースを設置して前記蓋部材を開いた状態で、前記電動送風機を駆動させたときの吸引力により、前記集塵濾紙を前記塵埃収容器に密着させるようにしたことを特徴とする。
この電気掃除機によれば、塵埃ケースにおける塵埃の吸い込み方向下流側となる部位にパッキンを有し、集塵ケース室の出入口の開口縁に、このパッキンを介して当接するように集塵ケースを設置可能であり、また、本体吸気口が閉塞手段で閉塞されるので、電動送風機の駆動による吸引力を利用して集塵濾紙を塵埃収容器内に吸引することができ、これを塵埃収容器内に密着させることができる。
【発明の効果】
【００１１】
本発明によれば、集塵ケースに集塵された塵埃の排出が容易で、かつ集塵ケースに設けられたフィルターのメンテナンスの手間を低減できる電気掃除機が得られる。
【図面の簡単な説明】
【００１２】
【図１】本発明の一実施形態の電気掃除機を示した外観斜視図である。
【図２】掃除機本体とこれに収容される集塵ケースとを示した斜視図である。
【図３】（ａ）（ｂ）は集塵ケース室の出入口を示した平面図である。
【図４】閉塞部材を示した拡大斜視図である。
【図５】集塵ケース室に設けられた区画壁を示した正面図である。
【図６】フィルター部材を開いた状態の集塵ケースを背面側から見た斜視図である。
【図７】塵埃収容器の背面図である。
【図８】（ａ）（ｂ）は集塵ケースから塵埃収容器が突出するときの様子を示した部分拡大断面図である。
【図９】集塵ケースを集塵ケース室の出入口に設置した状態を示した斜視図である。
【図１０】作用説明図である。
【図１１】集塵ケース室の出入口の外に塵埃収容器が位置するときの様子を示した断面図である。
【図１２】集塵ケース室の出入口にかかる状態に塵埃収容器が位置するときの様子を示した断面図である。
【図１３】集塵ケース室内に塵埃収容器が略半分収容されているときの様子を示した断面図である。
【図１４】集塵ケース室内に塵埃収容器の全体が収容されたときの様子を示した断面図である。
【図１５】変形例の電気掃除機における掃除機本体を示した斜視図である。
【図１６】掃除機本体の前壁部を開いた状態を示した斜視図である。
【図１７】その他の例における塵埃収容器を備えた塵埃ケースを示した斜視図である。
【図１８】その他の例における塵埃収容器の拡大斜視図である。
【図１９】その他の例における作用説明図である。
【発明を実施するための形態】
【００１３】
以下、本発明の一実施形態について添付図面を参照して説明する。
図１に示すように、電気掃除機１は、掃除機本体２と、ホース３と、手元操作スイッチＳＷ等が設けられた操作管４と、継手管（管）としての延長管５と、第１の吸込具６および第２の吸込具７とを備えて構成されている。第１の吸込具６の根元部に第２の吸込具７の先端部が接続され、第２の吸込具７の根元部に延長管５の先端部が接続され、延長管５の根元部に操作管４の先端部が接続され、操作管４の根元部にホース３が接続され、ホース３の根元部が掃除機本体２に前端部に接続される。なお、第２の吸込具７は、延長管５と操作管４との間に接続してもよく、なくてもよい。
【００１４】
掃除機本体２の内部には、吸引力を発生させる電動送風機２Ａや、この電動送風機２Ａの吸引力で吸引した塵埃を捕集する集塵ケース１０（図２参照）等が内蔵されており、操作管４に設けられた手元操作スイッチＳＷの操作等によって電動送風機２Ａの運転の強弱等が切り替えられるようになっている。
なお、以下の説明で各部の方向を言うときには、図２に示す方向を基準とする。
【００１５】
図２に示すように、掃除機本体２の上面には、開閉自在な蓋体２ａが設けられており、蓋体２ａを開くことにより、集塵ケース１０が収容される集塵ケース室２ｂが露出するようになっている。集塵ケース１０は、この集塵ケース室２ｂに対して着脱自在に設けられており、清掃終了後等に定期的に集塵ケース室２ｂから取り出される。そして、集塵ケース１０の内部に捕集された塵埃がごみ箱等に捨てられる。集塵ケース室２ｂは、掃除機本体２の内部の前側に形成され、電動送風機２Ａは、掃除機本体２の内部の後側に配置される。
【００１６】
なお、蓋体２ａは、集塵ケース１０の出し入れ時や後記するティッシュペーパーＴ（図１０参照）等の使い捨て式の集塵濾紙を装着する際に開かれ、掃除運転中は、閉じられている。集塵ケース室２ｂに対する集塵ケース１０の着脱方向は、略上下方向であり、集塵ケース室２ｂに集塵ケース１０を収容する際には、集塵ケース１０の後記する蓋部材１２が前側に向くようにして集塵ケース室２ｂに集塵ケース１０を挿入する。
【００１７】
また、掃除機本体２の上面には、電動送風機２Ａを掃除機本体２側で直接駆動するための駆動スイッチＳが設けられている。この駆動スイッチＳは、後記するように、集塵ケース１０の塵埃収容器１３にティッシュペーパーＴ（図１０参照）を装着する際にＯＮ、ＯＦＦ操作される。
【００１８】
集塵ケース室２ｂの上流側には、吸込んだ塵埃がホース３（図１参照）を通じて入ってくる本体吸気口２ｃが設けられている。本体吸気口２ｃには、後記する集塵ケース１０の蓋部材１２に開口形成された流入口１２ａと気密を確保するための口パッキン１２ｃが取り付けられている。集塵ケース室２ｂにおける塵埃吸い込み方向の下流側には、集塵ケース室２ｂと電動送風機２Ａが配置される電動送風機室８（図１０参照）とを区画する区画壁９が形成されている。区画壁９には、集塵ケース室２ｂと電動送風機室８とを連通する連通口２ｅが形成されている。
【００１９】
集塵ケース室２ｂの出入口２０は、集塵ケース１０を出し入れ可能に略四角形状に開口しており、出入口２０には、図３（ａ）に示すように、４つの開口縁２１〜２４が設けられている。これらの開口縁２１〜２４には、フィルター部材１５（図７参照）の後面（特に、枠体の後面側）に設けられたパッキン１８（図７参照）が略全周に亘って当接可能である（図３（ｂ）において斜線で示した部分）。つまり、後記する区画壁９の区画壁気密面９ａ（図５参照）とこれらの開口縁２１〜２４により形成される気密面とは、略同一形状とされている（図３（ｂ）参照）。これによって、出入口２０には、図９に示すように、集塵ケース１０が後面（パッキン１８）を下にして載置可能となっている。よって、集塵ケース室２ｂの出入口２０の開口縁２１〜２４の形状は、集塵ケース１０の後部開口の開口縁の形状に対応（例えば、合致）している。例えば、集塵ケース１０の後部開口の開口縁の形状が平坦な略四角形であれば、集塵ケース室２ｂの出入口２０の開口縁２１〜２４の形状も平坦な略四角形であるのが好ましい。
なお、出入口２０は、図２に示すように、区画壁９側から本体吸気口２ｃ側に向って下り傾斜状に形成されている。つまり、出入口２０における区画壁９側の開口縁２１の高さと本体吸気口２ｃ側の開口縁２４の高さとを比較すると、区画壁９側の開口縁２１のほうが高い場所に位置している。
【００２０】
開口縁２１は、図３（ａ）に示すように、出入口２０の後縁をなしており、パッキン１８（図３（ｂ）参照）の上側部が当接される。開口縁２１の後方には、切欠部２１ａが形成されている。この切欠部２１ａは、図１０に示すように、出入口２０に集塵ケース１０を載置するときに、集塵ケース１０のケース部材１１の上部に設けられた後記する係止部１６の位置決め部および係止部１６の逃げ部として機能する。
【００２１】
開口縁２２，２３は、図３（ａ）に示すように、出入口２０左右側縁をなしており、パッキン１８（図３（ｂ）参照）の左右側部が当接される。開口縁２２，２３は、前部側に比べて後部側が幅狭となって出入口２０が広がっている。本実施形態では、この部位２２ａ，２３ａの間を通じて、ケース部材１１の後部の幅広部１１ｇ（図２参照）が挿通されるようになっている。なお、この部位２２ａ，２３ａでは、パッキン１８との間に若干の隙間が形成されるが、その隙間の割合は僅かなものであるため、後記する電動送風機２Ａの駆動によってティッシュペーパーＴ（図１０参照）を装着する際の吸引力に差し触りを生じるものではない。
【００２２】
開口縁２４は、出入口２０の前縁をなしており、パッキン１８（図３（ｂ）参照）の下側部が当接される。
なお、開口縁２１〜２４は、全て設ける必要はなく、このうちの少なくとも２つ以上が出入口２０に設けられていればよい。例えば、開口縁２１および開口縁２４のみを設けてもよく、開口縁２２および開口縁２３のみを設けてもよい。
なお、開口縁２２，２３の側方には、出入口２０を左右側方から囲うように、位置決め用リブ２５，２６が突設されている。
【００２３】
また、集塵ケース室２ｂ内には、閉塞手段としての閉塞部材３０が設けられている。閉塞部材３０は、本体吸気口２ｃを塞ぐための部材であり、図４に示すように、回動軸３１と、腕部３２と、蓋部３３と、ガイド片３４とを備えている。
回動軸３１は、集塵ケース室２ｂ（図１１参照）の底部に設けられた受部２ｈ（図１０参照）に回動可能に支持されている。この回動軸３１から腕部３２を介して設けられた蓋部３３は、正面視で円形状を呈しており、図１１に示すように、本体吸気口２ｃの下流側の開口に当接して本体吸気口２ｃを塞ぐ大きさに形成されている。
【００２４】
ガイド片３４は、図４に示すように、蓋部３３の上端に設けられており、蓋部３３から後上方へ向けて湾曲傾斜状に形成されている。このガイド片３４は、集塵ケース室２ｂに挿入されてきた集塵ケース１０の下面に対応する位置に設けられており（図１１，図１２参照）、集塵ケース１０の下面に当接して押圧されるようになっている。
ガイド片３４の傾斜角度は、集塵ケース１０の挿入方向に対して３０〜７０°であることが望ましい。また、ガイド片３４は、図１４に示すように、閉塞部材３０が集塵ケース室２ｂの底面へ位置しているときは、前輪部４０を収容するために設けられた掃除機本体２の凹部４１の集塵ケース室２ｂ側の面に沿うような角度になっている。このような形状にすることによって、閉塞部材３０の肉厚分だけの出っ張りで収納できるので、無駄なスペースがなくなり、掃除機本体２を大型化しなくて済む。
【００２５】
このような閉塞部材３０は、図１０に示すように、回動軸３１に装着された付勢ばね３５によって、集塵ケース室２ｂ内の前側に起立した姿勢に保持され、この姿勢で、蓋部３３が本体吸気口２ｃを塞ぐように構成されている。また、後記するようにして、集塵ケース室２ｂに挿入されてきた集塵ケース１０の下面にガイド片３４が押圧されると、起立した姿勢から集塵ケース室２ｂの底面に向けて回動し、集塵ケース１０の重みにより集塵ケース室２ｂの底面に押し倒されるようになっている（図１４参照）。
つまり、集塵ケース１０が集塵ケース室２ｂから取り出された状態では、閉塞部材３０によって本体吸気口２ｃが塞がれることとなり、また、集塵ケース１０が集塵ケース室２ｂに収容された状態では、本体吸気口２ｃが開放されるようになっている。
このような閉塞部材３０の動作を可能とするため、付勢ばね３５の付勢力は、集塵ケース１０にかかる重力よりも小さく設定されている。
【００２６】
また、集塵ケース室２ｂに設けられた区画壁９には、図５に示すように、集塵ケース室２ｂに収容された集塵ケース１０の後端部のパッキン１８が密着する枠状の区画壁気密面９ａを有している。ここで、図５中斜線で示した部分は、区画壁９とパッキン１８との気密面である。本実施形態では、前記した出入口２０の開口縁２１〜２４（図３（ｂ）参照）とパッキン１８との気密面は、この区画壁９とパッキン１８との気密面と略同一となっている。
【００２７】
図２を再び参照して、集塵ケース１０は、筒状のケース部材１１と、このケース部材１１の前部に回動可能に設けられた蓋部材１２とを備え、ケース部材１１の内部に、空気と塵埃とを分離するメッシュ状のフィルター１３ａを有する塵埃収容器１３を備えている。また、ケース部材１１の後部にフィルター部材１５（図７参照）が設けられている。ケース部材１１の前部開口（開口部１１ｄ）は、蓋部材１２によって閉塞され、ケース部材１１の後部開口は、フィルター部材１５（図７参照）によって閉塞される。
本実施形態では、後記するようにして、塵埃収容器１３の塵埃吸い込み方向上流側となる塵埃収容器１３の前部開口に、使い捨て式の集塵濾紙として機能するティッシュペーパーＴ（図１０参照、以下同じ）を介在させており、この介在させたティッシュペーパーＴをケース部材１１と蓋部材１２との間で挟持可能に構成している。
なお、ティッシュペーパーＴは、使い捨て式の集塵濾紙に相当し、例えば、コンビニエンスストア等で日用品として販売されているものでよい。
【００２８】
ケース部材１１の上面前端には、図２に示すように、操作ボタン１１ｃが設けられている。操作ボタン１１ｃは、略中央部において左右に突設された図示しない支軸部を支点として揺動可能に設けられており、後端に設けられた押圧操作部１１ｈを指で押すことにより、前端側に設けられたフック部１１ｅが蓋部材１２の前面上端に設けられた係止部１２ｅから外れて、蓋部材１２が開くようになっている。
また、ケース部材１１は、その上部に、前後に延びるハンドル１４を有する。
【００２９】
蓋部材１２は、ケース部材１１の前端下部に設けられたヒンジ部１１ａ周りに回動可能に設けられており、操作ボタン１１ｃを操作することによって、前方へ倒れるようにして回動し、ケース部材１１の開口部１１ｄを開くようになっている。そして、蓋部材１２が開かれた状態で、開口部１１ｄを通じて、塵埃収容器１３が突出するようになっている。なお、開口部１１ｄから塵埃収容器１３が突出した状態で、塵埃収容器１３の後部側は、集塵ケース１０内に位置している。ただし、開口部１１ｄから塵埃収容器１３が突出した状態で、塵埃収容器１３の後部側も、集塵ケース１０外に位置していてもよい。つまり、開口部１１ｄから塵埃収容器１３が突出した状態で、塵埃収容器１３の全体が集塵ケース１０外に位置していてもよい。また、蓋部材１２は、ケース部材１１の前端下部に設けられたヒンジ部１１ａ周りに回動可能に設けられる代わりに、ケース部材１１の前端上部に設けられた図示しないヒンジ部周りに回動可能に設けられてもよい。
【００３０】
蓋部材１２の中央部には、円形の流入口（吸込口）１２ａ（図２参照）が開口形成されている。この流入口１２ａは、ホース３（図１参照）に連通しており、この流入口１２ａを通じて、塵埃を含む空気が集塵ケース１０内に流れ込むようになっている。なお、流入口１２ａには、流入口１２ａの開口を閉塞する逆止弁１２ｂが設けられている。逆止弁１２ｂは、合成ゴムなどの弾性材料からなるのが好ましい。逆止弁１２ｂは、塵埃収容器１３に堆積した塵埃が、流入口１２ａからこぼれ落ちないように流入口１２ａの開口を閉塞する。そして、流入口１２ａから空気が流入していない状態では、逆止弁１２ｂが流入口１２ａの開口を閉じた状態にあり、流入口１２ａから空気が流入する状態では、風圧によって逆止弁１２ｂが弾性力に逆らって下流側、つまり集塵ケース１０の内部側へ弾性変形する。これによって、流入口１２ａから空気が流入する状態では、流入口１２ａが開かれる。
【００３１】
塵埃収容器１３（集塵かご、通気部材）は、ケース部材１１内に配置され、大きめの粗塵を捕集するメッシュ状のフィルター１３ａを有している。塵埃収容器１３の形状は、枠体（支骨）によって形成され、フィルター１３ａは、塵埃収容器１３の開口以外の面に設けられており、金属やナイロンなどで構成されたフィルター１３ａが被覆または貼着されているのが好ましい。
【００３２】
塵埃収容器１３は、上下に分割された上容器１３Ａと下容器１３Ｂとが後部の蝶番１３Ｃ（図６参照）を介して連結されてなり、前側が開口し奥側が閉じられる容器状を呈している（空気の流れ方向の上流側が開口し、下流側が閉じられた形状を呈している）。そして、塵埃収容器１３は、塵埃の吸い込み方向下流側となる底部が、下流側に向けて円弧状に凹設されている（ケース部材１１の開口側（ケース部材１１におけるフィルター部材１５が配置される開口側）に凹んだ形状、図１０参照）。
【００３３】
塵埃収容器１３の形状は、一つの面が開口したかご形状，立体的形状，箱形状または容器形状であってもよいし、ちりとり形状であってもよい。塵埃収容器１３の断面形状は、略半円形状であってもよいし、底部（下流）側が円弧状とされた略三角形状であってもよい。いずれにしても、塵埃収容器１３の断面形状は、後記するティッシュペーパーＴが内面に密着し易い、開口から底面へ向かって、断面が小さくなる形状であることが好ましい。
このような塵埃収容器１３の内側には、内壁面（フィルター１３ａ）に沿って、ティッシュペーパーＴが密着配置されるようになっている。
【００３４】
そして、塵埃収容器１３は、図６に示すように、ケース部材１１の底面に装着される基部１３Ｄを有しており、この基部１３Ｄと下容器１３Ｂとの間に装着されたばね部材１７を介して基部１３Ｄに回動可能に支持されている。このばね部材１７は、塵埃収容器１３をケース部材１１の開口部１１ｄに向けて押し出す方向に付勢する。ただし、ばね部材１７は必須の構成ではない。ばね部材１７がない場合は、重力によって塵埃収容器１３がケース部材１１から突出することとなる。
なお、下容器１３Ｂは、下容器１３Ｂの左右下部に設けられた図示しない支軸を介して、基部１３Ｄに対して回動自在に設けられている。
そして、塵埃収容器１３は、基部１３Ｄと一体的にケース部材１１から取り外すことができる。したがって、簡単に清掃することができる。また、塵埃収容器１３を水洗いしたい場合も、ケース部材１１から取り外した状態で簡単に水洗いが可能で、乾燥する時間も比較的短時間で済む。
【００３５】
上容器１３Ａの上部には、図８（ａ）に示すように、塵埃収容器１３の回動を規制する規制ストッパ１３ｆが設けられている。この規制ストッパ１３ｆは、ケース部材１１の上部内壁に設けられた規制部１１ｆに当接するようになっている。つまり、塵埃収容器１３がケース部材１１の開口部１１ｄ（図２参照）に向けて押し出されるときの、規制ストッパ１３ｆの回動軌跡に規制部１１ｆが位置している。
これによって、塵埃収容器１３がばね部材１７（図６参照）の付勢力によって突き出される方向に回動すると、図８（ａ）（ｂ）に示すように、規制ストッパ１３ｆが規制部１１ｆに当接して回動が規制され、最終的には、上容器１３Ａと下容器１３Ｂとが蝶番１３Ｃを支点として上下方向に開く状態となって回動が規制される。つまり、塵埃収容器１３は、塵埃を捕集するときの空気の流れの方向とは逆の方向に回動されて（突き出されて）開かれるようになっており、これによって、塵埃収容器１３内に捕集された塵埃をごみ箱等に容易に捨てることができるようになっている。
【００３６】
ここで、塵埃収容器１３で捕集された綿ごみなどの軽くてフワフワした繊維塵は、塵埃収容器１３を通過する空気流により、圧縮された固まりとなり易い。また塵埃収容器１３内で圧縮されて固まりとなった繊維塵により、塵埃収容器１３に流入した微細な塵埃の一部も捕集される。これらの圧縮された塵埃の固まりは、電気掃除機１の運転を停止すると空気流による圧縮力がなくなり、圧縮された塵埃の固まりが広がり、塵埃の固まりの体積が大きくなる。
しかし、塵埃収容器１３はその開口に向って広がっており、しかも溜まった塵埃を捨てる際に上容器１３Ａと下容器１３Ｂが開口を拡げるように開放するので、塵埃収容器１３に収容した圧縮された塵埃の固まりが広がった場合でも容易に排出することができる。
この際、塵埃収容器１３に吸引された塵埃は空気流により、圧縮された固まりとなり易く、塵埃収容器１３から開口を通じて排出する際も固まり状となって排出されるので、塵埃収容器１３に設けたメッシュ状のフィルター１３ａには、塵埃の付着や絡み付きが少なく、目詰まりが生じにくい。このため、塵埃収容器１３に溜まった塵埃を捨てるだけで、フィルター１３ａの除塵の手間を防ぐことができる。
【００３７】
図６に示すように、ケース部材１１の後部に設けられたフィルター部材１５は、例えば、ケース部材１１の後部開口（電動送風機２Ａへの連通口２ｅに連通する開口）の開口縁に対応する形状を有する枠体と、枠体内に形成され波形のプリーツ加工されたフィルター１５ｂを備えており、ケース部材１１の下部に設けられたヒンジ１５ａによりケース部材１１に対して開閉自在に設けられている。よって、集塵ケース１０の後部開口は、フィルター部材１５の枠体によって形成され、その枠体内はフィルター１５ｂによって通気可能に閉塞されている。通常、フィルター部材１５は、ケース部材１１の上部に設けられた係止部１６のフックによって閉状態に係止されている。
このフィルター部材１５は、塵埃収容器１３を通過した細かな微細塵を濾過捕集するようになっている。したがって、塵埃収容器１３のフィルター１３ａの目開きは、フィルター部材１５のフィルター１５ｂの目開きよりも粗く（大きく）なっている。
【００３８】
次に、塵埃収容器１３に捕集した塵埃を捨て、その後、塵埃収容器１３を掃除機本体２の集塵ケース室２ｂに収容する際の作用について各図を適宜参照して説明する。
塵埃をごみ箱等に捨てる際には、集塵ケース１０のハンドル１４を把持して掃除機本体２の集塵ケース室２ｂから集塵ケース１０を取り出し（図１１参照）、操作ボタン１１ｃの押圧操作部１１ｈ（図２参照）を押圧操作する。そうすると、フック部１１ｅが蓋部材１２の係止部１２ｅから外れ、蓋部材１２が開かれる。このとき、蓋部材１２は、ばね部材１７により付勢された塵埃収容器１３によって前方へ押圧され、ヒンジ部１１ａを中心として回動して開く（図２参照）。これとともに、ばね部材１７によって前方へ突き出された塵埃収容器１３は、規制ストッパ１３ｆが規制部１１ｆ（図８（ａ）（ｂ）参照）に当接して回動が規制されるとともに、上下に分割された上容器１３Ａと下容器１３Ｂとが後部の蝶番１３Ｃを介して上下方向に開かれる。これによって、塵埃収容器１３の内側に捕集された塵埃が後記するように内部に収容されたティッシュペーパーＴとともに前方に放り出され、塵埃が排出される。
【００３９】
また、集塵ケース室２ｂから集塵ケース１０を取り出すと、図１１に示すように、集塵ケース室２ｂの底面に配置されていた閉塞部材３０が付勢ばね３５によって起き上がり、付勢力によって蓋部３３が本体吸気口２ｃを閉塞する。
【００４０】
塵埃排出後、図１０に示すように、蓋部材１２を開いたままの状態で、ケース部材１１の開口部１１ｄが上に向くようにして（集塵ケース１０の後端のパッキン１８を下に向けて）、集塵ケース１０を掃除機本体２の出入口２０を覆うようにして開口縁２１〜２４（図３（ａ）参照）に載置する。
そして、塵埃収容器１３の開口にティッシュペーパーＴを載せ、塵埃収容器１３をケース部材１１に向けて押して、操作ボタン１１ｃのフック部１１ｅと上容器１３Ａとの間にティッシュペーパーＴの一端を挟み込むようにして、フック部１１ｅに上容器１３Ａの上端縁部を引っ掛ける。
【００４１】
この状態で、掃除機本体２の上面に設けられた駆動スイッチＳ（図２参照）をＯＮ操作する。そうすると、掃除機本体２の電動送風機２Ａが駆動され、集塵ケース室２ｂの空気が区画壁９を隔てて電動送風機２Ａに吸引される。このとき、本体吸気口２ｃは、閉塞部材３０の蓋部３３で塞がれているので、出入口２０に載置された集塵ケース１０を通じて吸込空気が集塵ケース室２ｂに流入する。
【００４２】
そうすると、集塵ケース１０の塵埃収容器１３の開口に載置したティッシュペーパーＴが塵埃収容器１３の内側に向けて吸引され、塵埃収容器１３の内面（フィルター１３ａ）に沿って密着しつつ整えられる。
したがって、平坦なティッシュペーパーＴを塵埃収容器１３の内面に好適に密着して配置することができる。したがって、ティッシュペーパーＴを塵埃収容器１３内に好適に装着することができ、塵埃吸引時にティッシュペーパーＴが破けるのを防ぐことができる。
【００４３】
この状態で、蓋部材１２を回動して閉じ、ケース部材１１と蓋部材１２との間に、ティッシュペーパーＴを挟持する。そして、掃除機本体２の上面に設けられた駆動スイッチＳをＯＦＦ操作し、電動送風機２Ａを停止させる。
その後、出入口２０から集塵ケース１０を取り外して、これを集塵ケース室２ｂに収容する。その際、図１２に示すように、出入口２０を通じて集塵ケース室２ｂ内に集塵ケース１０の下面を挿入すると、閉塞部材３０のガイド片３４に集塵ケース１０の下面が当接してこれを押圧し、閉塞部材３０が後方へ向けて回動し始める。
【００４４】
その後、図１３に示すように、集塵ケース１０を集塵ケース室２ｂにさらに挿入すると、閉塞部材３０のガイド片３４が集塵ケース１０の下面によってさらに押圧される。そして、図１４に示すように、集塵ケース室２ｂ内に集塵ケース１０が完全に収容されると、閉塞部材３０が集塵ケース室２ｂの底面に倒れた状態となって、本体吸気口２ｃと蓋部材１２の流入口１２ａとが連通する。
【００４５】
その後、電気掃除機１を運転して清掃を行えば、塵埃収容器１３内に吸引された塵埃は、塵埃収容器１３に配置したティッシュペーパーＴおよびその上流側に、大部分が堆積する。この場合、塵埃収容器１３に吸引された塵埃は、空気流により圧縮された固まりとなり易いので、塵埃収容器１３の上流域で、ティッシュペーパーＴに包まれた状態となる。
したがって、蓋部材１２を開いて塵埃を排出する際にも、ほとんどの塵埃は、ティッシュペーパーＴに包まれた固まり状の状態となって排出されることとなる。
【００４６】
なお、塵埃収容器１３のフィルター１３ａを通過した微細な塵埃は、ケース部材１１の後部のフィルター部材１５の上流側に付着する。付着した微細な塵埃は掃除機の運転が終了すると落下してケース部材１１内に堆積する。下部に堆積した微細な塵埃は、基部１３Ｄとケース部材１１との間に形成された図示しない通路を通って塵埃収容器１３の前面側から排出可能である。
【００４７】
以下に本実施形態の作用効果について説明する。
（１）本実施形態の電気掃除機１によれば、掃除機本体２の出入口２０の開口縁２１〜２４に集塵ケース１０のパッキン１８を当接させて配置することができ、蓋部材１２を開いた状態で、電動送風機２Ａを駆動させたときの吸引力により、ティッシュペーパーＴを塵埃収容器１３の内面に密着させることができるので、ティッシュペーパーＴを塵埃収容器１３内に好適に配置することができる。したがって、集塵ケース１０に集塵された塵埃の排出が容易で、かつ集塵ケース１０に設けられたフィルター１３ａ（フィルター部材１５）のメンテナンスの手間を低減できる。
（２）ティッシュペーパーＴの吸引時には、フィルター１３ａの全体にまんべんなく吸引力が作用するので、リブなどで一部を押し付ける手法と比べて、全体的に密着しやすい。また、手でティッシュペーパーＴを押し込む場合には、どの程度押し込むかを迷うことがあったが、本実施形態では、迷うことがなく、一律に塵埃収容器１３の内面にティッシュペーパーＴを密着させることができるので、使い勝手がよい。
（３）ティッシュペーパーＴが塵埃収容器１３に張り付いた状態で蓋部材１２を閉じると、ケース部材１１と蓋部材１２とでティッシュペーパーＴが挟持されるので、ティッシュペーパーＴの密着状態を維持しつつ挟持操作を簡単に行うことができる。
（４）集塵ケース１０に備わるパッキン１８を利用して、出入口２０に集塵ケース１０を密着させることができるので、吸引による密着のための部品を別途必要とせず、掃除機本体２の大型化や、部品点数の増加を来すことなく、ティッシュペーパーＴを塵埃収容器１３に好適に配置することができる。
（５）区画壁気密面９ａと、開口縁２１〜２４からなる出入口２０の気密面とが略同一形状であるので、塵埃収容器１３に一種類のパッキン１８を設ければよく、これらの気密面に対応するようにパッキンを二種類の形状としたものに比べて、形状が構成が簡単になり、これによって、掃除機本体２や集塵ケース１０の大型化を防止することができる。
（６）ティッシュペーパーＴは、吸引力により塵埃収容器１３の内側に隙間なく張り付かせることが可能であるので、大きめの塵埃が勢いよく吸込まれても破れにくく、ティッシュペーパーＴが破れた場合と比較してフィルター部材１５の寿命を向上させることができる。
（７）ティッシュペーパーＴを配置する際には、ティッシュペーパーＴを塵埃収容器１３（上容器１３Ａの上端部）と操作ボタン１１ｃのフック部１１ｅとで挟むことができるので、ティッシュペーパーＴの一端を好適に位置決めすることができる。したがって、風などでティッシュペーパーＴがずれることを防ぐことができ、取り付けが行い易いという利点が得られる。しかも、ティッシュペーパーＴを整えてきれいに取り付けることができる。
（８）塵埃収容器１３は、塵埃の吸い込み方向下流側となる底部が、下流側に向けて円弧状に凹設されているので、例えば、底部が角形等に形成されている場合に比べて、塵埃収容器１３の内面に隙間なくティッシュペーパーＴを密着させることができ、より破れにくくなる。
（９）塵埃収容器１３は、塵埃を捕集するときの空気の流れの方向とは逆の方向に回動されて開かれるようになっているため、塵埃収容器１３内に捕集された塵埃をごみ箱等に容易に捨てることができる。そして、塵埃収容器１３の上流側には使い捨て式の集塵濾紙として、ティッシュペーパーＴを配置しているので、塵埃収容器１３のフィルター１３ａや集塵ケース１０の後部のフィルター部材１５の目詰まりを抑制することができる。また捕集された塵埃は、空気流により圧縮された固まりとなり易いので、塵埃収容器１３の上流で、ティッシュペーパーＴに包まれた状態にあり、塵埃を排出する際もほとんどの塵埃は、ティッシュペーパーＴに包まれた固まり状の状態となって排出される。したがって、細塵の舞い上がりが生じず衛生的である。
（１０）出入口２０は、区画壁９側から本体吸気口２ｃ側に向って下り傾斜状に形成されているので、塵埃収容器１３の開口部１１ｄは使用者と対向し、ティッシュペーパーＴが取り付け易い。
【００４８】
図１５は変形例の電気掃除機に係る掃除機本体を示した斜視図、図１６は掃除機本体の前壁部を開いた状態を示した斜視図である。この変形例では、図１５に示すように、本体吸気口２ｃが設けられた前壁部５１が、集塵ケース室２ｂの下部に設けられた本体ヒンジ５２を中心に回動可能に設けられており、図１６に示すように、前壁部５１が掃除機本体２の前側に向けて開くように構成されている。
【００４９】
このような構成において、ティッシュペーパーＴを装着する際には、前壁部５１を回動させ、集塵ケース１０の蓋部材１２を露出させる。そして、操作ボタン１１ｃを操作して蓋部材１２を開き、塵埃収容器１３を突出させて、塵埃収容器１３の前側からティッシュペーパーＴをあてがう。
その後、駆動スイッチＳをＯＮ操作して、電動送風機２Ａを駆動させ、その吸引力で塵埃収容器１３の内側にティッシュペーパーＴを装着する。装着し終わったら、蓋部材１２を閉じて、ケース部材１１と蓋部材１２との間にティッシュペーパーＴを挟持し、駆動スイッチＳをＯＦＦ操作する。
その後、前壁部５１を回動操作して閉じる。
【００５０】
このような構成によれば、集塵ケース室２ｂ内に集塵ケース１０を収納したままの状態で、ティッシュペーパーＴを装着することができ、塵埃収容器１３をいちいち取り出す手間が不要となって、使い勝手がよくなる。
【００５１】
以上本発明の電気掃除機１について説明したが、本発明は前記実施形態に限られることはなく適宜変更して実施可能である。
例えば、前記実施形態で説明した塵埃収容器１３に対して、ティッシュペーパーＴを抑えるための抑え部材６０を設けてもよい。
具体的に、抑え部材６０は、図１７に示すように、塵埃収容器１３の下容器１３Ｂの回動軸１３ｂに回動可能に取り付けられた薄板枠状の部材であり、下容器１３Ｂの前端下部の枠体１３ｊに対応する湾曲状に形成され、回動により枠体１３ｊに対して当接あるいは離脱可能に設けられている。そして、抑え部材６０は、枠体１３ｊとの間にティッシュペーパーＴを挟持可能である。
【００５２】
ここで、下容器１３Ｂの前端下部の枠体１３ｊは、段差１３ｋを境にして後方側へ凹設されており、図１８において二点鎖線で示すように、抑え部材６０が枠体１３ｊに当接した状態で、抑え部材６０の前面が隣接する枠部１３ｍの前面と面一になるように構成されている。これによって、蓋部材１２は、ケース部材１１に対して閉じられた状態で、抑え部材６０の前面と下容器１３Ｂの枠部１３ｍとに亘って好適に密着する状態となり、これによって、気密性をもってティッシュペーパーＴが保持されるように構成されている。
なお、抑え部材６０は、上容器１３Ａ側に設けてもよい。
【００５３】
このような抑え部材６０を用いてティッシュペーパーＴを挟持する際には、図１９に示すように、塵埃収容器１３の開口にティッシュペーパーＴをあてがい、その一端を抑え部材６０と枠体１３ｊとの間に挟み込む。
そして、駆動スイッチＳ（図１９では不図示、以下同じ）をＯＮ操作して、電動送風機２Ａを駆動させ、その吸引力で塵埃収容器１３の内側にティッシュペーパーＴを装着する。装着し終わったら、蓋部材１２を閉じて、ケース部材１１と蓋部材１２との間にティッシュペーパーＴを挟持し、駆動スイッチＳをＯＦＦ操作する。
【００５４】
なお、前記実施形態や変形例では、使い捨て式の集塵濾紙としてティッシュペーパーＴを示したがこれに限られることはなく各種の濾紙を好適に用いることができる。
【符号の説明】
【００５５】
１      電気掃除機
２      掃除機本体
２ｃ    本体吸気口
９      区画壁
１０    集塵ケース
２Ａ    電動送風機
２ｂ    集塵ケース室
１１    ケース部材
１１ｄ  開口部
１２    蓋部材
１３    塵埃収容器
１３ａ  フィルター
１５    フィルター部材
１８    パッキン
２０    出入口
３０    閉塞部材（閉塞手段）
６０    抑え部材
Ｔ      ティッシュペーパー（集塵濾紙）
【図１】
2012000115.tif 000003
【図２】
2012000115.tif 000004
【図３】
2012000115.tif 000005
【図４】
2012000115.tif 000006
【図５】
2012000115.tif 000007
【図６】
2012000115.tif 000008
【図７】
2012000115.tif 000009
【図８】
2012000115.tif 000010
【図９】
2012000115.tif 000011
【図１０】
2012000115.tif 000012
【図１１】
2012000115.tif 000013
【図１２】
2012000115.tif 000014
【図１３】
2012000115.tif 000015
【図１４】
2012000115.tif 000016
【図１５】
2012000115.tif 000017
【図１６】
2012000115.tif 000018
【図１７】
2012000115.tif 000019
【図１８】
2012000115.tif 000020
【図１９】
2012000115.tif 000021